(57)【要約】【課題】夏場のピーク時の消費電力を消失できる断熱構造を提供する。【解決手段】耐火野地板とされた基材１０と、基材１０表面に積層された高機能断熱性能を主として発揮する発泡体シート２１と、発泡体シート２１をサンドイッチ状に挟んでいる保護被膜が形成されたアルミ箔シート２２，２２とからなる積層体とされた高機能断熱シート２０とを有するシステム断熱体１を備えてなるシステム断熱構造Ｋである。【選択図】図１
2017227101.tif 000002
【特許請求の範囲】
【請求項１】
表面に高機能断熱シートを有する基材からなるシステム断熱体を備えてなることを特徴とするシステム断熱構造。
【請求項２】
表面に高機能断熱シートを有する所定配列にて配設された所要数の基材からなるシステム断熱体を備えてなることを特徴とするシステム断熱構造。
【請求項３】
高機能断熱シートの厚みが、４ｍｍ−６ｍｍとされてなることを特徴とする請求項１または２記載のシステム断熱構造。
【請求項４】
高機能断熱シートの表面が凹凸面とされてなることを特徴とする請求項１または２記載のシステム断熱構造。
【請求項５】
基材が、耐火野地板、木毛板、ウレタンフォーム、スタイロフォーム、コンクリート型枠用合板、無垢板、構造用合板、金属板、金属パネル、スレート、折り曲げ鋼板、ケミカルボード、石膏ボード、各種サイディング、コンクリート、軽量気泡コンクリート、押出成形セメント板、プレキャストコンクリート板、タイル、プラスチック板、ガラス、段ボールなどの板紙類、ポリカーボネート板、繊維強化プラスチック板、石板、または陶板とされてなることを特徴とする請求項１または２記載のシステム断熱構造。
【請求項６】
基板の裏面に溝が配設されてなることを特徴とする請求項５記載のシステム断熱構造。
【請求項７】
基材が、浴槽または貯水槽とされてなることを特徴とする請求項１または２記載のシステム断熱構造。
【請求項８】
基材が表面に透湿防水シートを有することを特徴とする請求項１または２記載のシステム断熱構造。
【請求項９】
請求項１または請求項２に記載のシステム断熱構造を備えてなることを特徴とする屋根。
【請求項１０】
請求項１または請求項２に記載のシステム断熱構造を備えてなることを特徴とする壁。
【請求項１１】
請求項１または請求項２に記載のシステム断熱構造を備えてなることを特徴とする床。
【請求項１２】
気密断熱構造とされた戸建住宅であって、壁、床、もしくは屋根に請求項１または請求項２に記載のシステム断熱構造を備えてなることを特徴とする戸建住宅。
【請求項１３】
所要数の基材を所定配列にて配設する手順と、
所定配列にて配設された基材表面にロール状に巻かれた高機能断熱シートを巻き出して同基材表面全体を覆うようにして高機能断熱シートを積層する手順とを含むことを特徴とするシステム断熱構造の施工方法。
【請求項１４】
所定配列にて配設された基材表面にロール状に巻かれた透湿防水シートを巻き出して同基材表面全体を覆うようにして透湿防水シートを積層する手順が付加されていることを特徴とする請求項１３記載のシステム断熱構造の施工方法。
【発明の詳細な説明】
【技術分野】
【０００１】  本発明はシステム断熱構造およびその施工方法に関する。さらに詳しくは、夏場における消費電力のピークを消失できるシステム断熱構造およびその施工方法に関する。
【背景技術】
【０００２】  従来より、住宅および非住宅を含めた建築物の内部の断熱にグラスウールが利用されている。【０００３】  しかしながら、所望の断熱性能を確保できるグラスウールの厚みは、２０ｍｍ−１００ｍｍ程度とされているので、外壁と内壁との隙間にグラスウールを充填して断熱を行うと壁などの厚みが厚くなる、という問題がある。【０００４】  また、鋼板屋根の下にグラスウールを敷いて断熱を図ることもなされている。しかるに、屋根は太陽の直射日光に長時間照らされることから、太陽光からの熱エネルギーがグラスウールに蓄熱されるという現象が生ずる。このグラスウールに蓄熱された熱エネルギーは夜間に放熱され、いわゆる熱籠り現象が生じて期待された断熱効果を得ることができない、という問題もある。【０００５】  さらに、グラスウールは吸湿性を有するため、屋根内や壁内の結露水や湿気を吸収するという現象も生ずる。その結果、グラスウールは吸収した水分の重みで厚みが薄くなったり、沈降したりして、つまり痩せるという現象が生じて断熱性能が著しく低下する、という問題も生ずる。その上、高温でしかも水分が存在すると、屋根裏などにカビが発生し、その発生したカビが建築物を侵蝕してその寿命を縮める、という問題も生ずる。【０００６】  かかる事情などから、従来の住宅および非住宅を含めた建築物においては、充分な断熱がなし得ず、しかも近年の温暖化の影響も加わって、夏場には各建築物において冷房のためにエアコンが使用されている。夏場のエアコンの使用は、各建築物において一斉になされるため、夏場に消費電力のピークが発生している。【０００７】  電力会社は、消費電力のピーク時における大規模停電を回避するため、発電能力をピーク時に対応したものとしておく必要がある。ピーク時は、その名のとおりピークであるからその期間は、きわめて短い。それにもかかわらず、ピーク時に対応させた発電能力としているため、発電設備の稼働率の低下を招来している。その結果、発電コストの上昇をも招来している。【０００８】  かかる状況から、夏場における消費電力のピークを消失できる断熱構造の出現が熱望されている。【０００９】  なお、小屋裏空間の温度変化を抑制した屋根の断熱構造については、特許文献１に提案がなされている。
【先行技術文献】
【特許文献】
【００１０】
【特許文献１】特開２００７−５１４８２号公報
【発明の開示】
【発明が解決しようとする課題】
【００１１】  本発明はかかる従来技術の課題に鑑みなされたものであって、夏場における消費電力のピークを消失できる断熱構造およびその施工方法を提供することを主たる目的としている。
【課題を解決するための手段】
【００１２】  本発明の第１形態の第１態様は、表面に高機能断熱シートを有する基材からなるシステム断熱体を備えてなることを特徴とするシステム断熱構造とされる。【００１３】  本発明の第１形態の第２態様は、表面に高機能断熱シートを有する所定配列にて配設された所要数の基材からなるシステム断熱体を備えてなることを特徴とするシステム断熱構造とされる。【００１４】  本発明の第１形態においては、高機能断熱シートの厚みが、４ｍｍ−６ｍｍとされてなるのが好ましい。【００１５】  また、本発明の第１形態においては、高機能断熱シートの表面が凹凸面とされてなるのが好ましい。【００１６】  また、本発明の第１形態においては、基材が、耐火野地板、木毛板、ウレタンフォーム、スタイロフォーム、コンクリート型枠用合板、無垢板、構造用合板、金属板、金属パネル、スレート、折り曲げ鋼板、ケミカルボード、石膏ボード、各種サイディング、コンクリート、軽量気泡コンクリート、押出成形セメント板、プレキャストコンクリート板、タイル、プラスチック板、ガラス、段ボールなどの板紙類、ポリカーボネート板、繊維強化プラスチック板、石板、または陶板とされてなるのが好ましい。その場合、基板の裏面に溝が配設されてなるのがさらに好ましい。【００１７】  また、本発明の第１形態においては、基材が、浴槽または貯水槽とされてもよい。【００１８】  また、本発明の第１形態においては、基材が表面に透湿防水シートを有するのが好ましい。【００１９】  本発明の第２形態は、第１形態のシステム断熱構造を備えてなることを特徴とする屋根とされる。【００２０】  本発明の第３形態は、第１形態のシステム断熱構造を備えてなることを特徴とする壁とされる。【００２１】  本発明の第４形態は、第１形態のシステム断熱構造を備えてなることを特徴とする床とされる。【００２２】  本発明の第５形態は、気密断熱構造とされた戸建住宅であって、壁、床、もしくは屋根に第１形態のシステム断熱構造を備えてなるものとされる。【００２３】  本発明の第６形態は、所要数の基材を所定配列にて配設する手順と、所定配列にて配設された基材表面にロール状に巻かれた高機能断熱シートを巻き出して同基材表面全体を覆うようにして高機能断熱シートを積層する手順とを含むことを特徴とするシステム断熱構造の施工方法とされる。【００２４】  本発明の第６形態においては、所定配列にて配設された基材表面にロール状に巻かれた透湿防水シートを巻き出して同基材表面全体を覆うようにして透湿防水シートを積層する手順が付加されているのが好ましい。
【発明の効果】
【００２５】  本発明は前記の如く構成されているので、厚みを抑制しながら所望の断熱性能が確保できるという優れた効果を奏する。【００２６】  また、本発明の戸建住宅は、前記の如く構成されているので、夏場における消費電力のピークを消失させることができるという優れた効果を奏する。
【図面の簡単な説明】
【００２７】
【図１】  本発明の実施形態１に係るシステム断熱構造の二面図であって、同（ａ）は平面図、同（ｂ）はＡ−Ａ線端面図である。
【図２】  同システム断熱構造に用いられるシステム断熱ボードの三面図であって、同（ａ）は平面図、同（ｂ）は正面図、同（ｃ）は底面図である。
【図３】  高機能断熱シートの分解図である。
【図４】  高機能断熱シートの断熱原理を示す説明図である。
【図５】  同断熱ボードの一例の画像である。
【図６】  高機能断熱シートの遮音性能試験結果のグラフである。
【図７】  本発明の実施形態２に係るシステム断熱構造の二面図であって、同（ａ）は平面図、同（ｂ）はＡ−Ａ線端面図である。
【図８】  本発明の実施形態３係る戸建住宅の概略図である。
【発明を実施するための形態】
【００２８】  以下、添付図面を参照しながら本発明を実施形態に基づいて説明するが、本発明はかかる実施形態のみに限定されるものではない。
【００２９】  実施形態１
本発明の実施形態１に係るシステム断熱構造Ｋを図１に示す。なお、実施形態１におけるシステム断熱構造Ｋは、小屋組に係るものとされる。
【００３０】  システム断熱構造Ｋは、図１に示すように、所要数のシステム断熱体１，１，１，・・・を垂木Ｔの上に所定配列にて配設してなるものとされる。
【００３１】  システム断熱体１は、具体的には、システム断熱ボード２とされる。
【００３２】  システム断熱ボードは、図２に示すように、基材１０と高機能断熱シート２０とを透湿防水シート３０を介して積層し断熱システムとしてなるものとされ、ボード板厚の増加を最小限に抑制しながら高断熱を実現したボードとされる。ここで、基材１０と、高機能断熱シート２０と、透湿防水シート３０とは、例えば接着剤により接着されている。なお、透湿防水シート３０は必要に応じて設けられればよく、そのため必ずしも設けられる必要はない。
【００３３】  基材１０は、具体的には、耐火野地板とされる。
【００３４】  高機能断熱シート２０は、図３に示すように、高機能断熱性能を主として発揮する発泡体シート２１と、発泡体シート２１をサンドイッチ状に挟んでいる保護被膜が形成されたアルミ箔シート２２，２２とからなる積層体とされ、厚みは５ｍｍ程度、より具体的には４ｍｍ−６ｍｍとされる。保護被膜は、例えばポリエチレンテレフタレート製フィルムとされる。なお、かかる高機能断熱シート２０としては、例えばＨＭシート（ＭＩＭＯマテリアル株式会社製  商品名）があげられる。
【００３５】  高機能断熱シート２０の断熱性能を確認するため、コンテナ内面に高機能断熱シート２０を貼付し内部温度の上昇を測定した。その結果、内部温度は４０度程度までしか上昇しなかった。これは、図４に示すように、太陽Ｓからの直接の輻射熱ＤＲは、反射熱ＲＲのようにコンテナＣ外部に効率よく反射され、コンテナＣ内の高機能断熱シート２０で覆われた内部への伝導熱が大幅に低減され、それにともなって、コンテナＣ内部における温度上昇、さらに温度上昇を助長する対流も起こりにくくなることによるものと想定される。
【００３６】  比較のために、高機能断熱シート２０を貼付しないでコンテナの内部温度の上昇を測定した。その結果、内部温度は７０度付近まで上昇した。このことから、高機能断熱シート２０は、厚みが薄いにもかかわらず、優れた断熱性能および遮熱効果を有するといえる。それ故、高機能断熱シート２０は、当然に優れた結露防止効果をも併せ持っている。
【００３７】  また、図５に示すように、アルミ箔シート２２の表面は凸凹しているので、高機能断熱シート２０は、輻射熱の散乱効果の他に音波の散乱効果も有していると想定される。つまり、高機能断熱シート２０は、断熱性能が高いばかりでなく、遮音効果も高いことが想定される。そこで、高機能断熱シート２０の遮音効果を確認するために遮音性能試験をＪＩＳ―Ａ１４１９により行った。その結果を図６に示す。図６より、高機能断熱シート２０の音圧低減効果は、１０ｄＢ−２０ｄＢであることが理解される。
【００３８】  なお、図５に示すシステム断熱ボードの裏面には、溝が所定配列にて形成されている。これは、曲面への適用を容易にするためである。
【００３９】  しかして、所要数のシステム断熱ボード２，２，２，・・・が所定配列にて配設されて形成されたシステム断熱構造Ｋの上に、定法により折半屋根を葺くことにより小屋組が完成される。なお、図示はされていないが、システム断熱ボード２，２の継目の部分は、例えばアルミが蒸着された断熱テープが貼付されている。
【００４０】  このように、本実施形態によれば、屋根の厚みの増加を最小限に抑制しながら、断熱効果および遮熱効果が高く、しかも結露防止効果にも優れ、その上遮音性にも優れた小屋組が実現される。
【００４１】  実施形態２
本発明の実施形態２に係るシステム断熱構造Ｋを図７に示す。
【００４２】  実施形態２は実施形態１を改変してなるものであって、垂木Ｔの上に所定配列にて配設された所要数の基材１０，１０，１０・・・の表面全体を覆うようにして透湿防水シート３０および高機能断熱シート２０を積層してなるものとされる。なお、図示はされていないが、高機能断熱シート２０，２０の継目の部分は、例えばアルミが蒸着された断熱テープが貼付されている。
【００４３】  つまり、本実施形態は、垂木Ｔに所要数の基材１０，１０，１０・・・を所定配列にて配設し、ついでロール状で搬入された透湿防水シート３０および高機能断熱シート２０を巻き出して基材１０表面全体を覆うようにしてシステム断熱構造Ｋを形成するものとされる。
【００４４】  このように、本実施形態によれば、工場では基材１０のみを製作すればよいので、工場での生産管理が簡素化されるとともに、生産期間が短縮されるという実施形態１では得られない効果が得られる。なお、その余の作用・効果は実施形態１と同様とされる。
【００４５】  実施形態３
図８に、本発明の実施形態３を示す。実施形態３は、気密断熱とされた戸建住宅Ｈの断熱にシステム断熱構造Ｋを適用してなるものとされる。より具体的には、壁、床および屋根をシステム断熱構造Ｋとしてなるものとされる。
【００４６】  このように、本実施形態では、戸建住宅Ｈの壁、床および屋根をシステム断熱構造Ｋとしているので、夏場においても室内温度の上昇を抑えることができる。コンテナ内での温度上昇抑制効果から推察して、室内温度の上昇を従来の戸建住宅に比して１０度程度低減できるものと期待される。その結果、夏場におけるクーラの使用を抑えることができ、それに伴い夏場における消費電力のピークを消失させることができる。また、断熱性能が高いので、冬場においても暖房の必要性を低下させることができる。その結果、暖房費も節約できる。
【００４７】  このことから、本実施形態の戸建住宅Ｈは、きわめて省エネ効果の高い住宅といいえる。
【００４８】  以上、本発明を実施形態に基づいて説明してきたが、本発明はかかる実施形態のみに限定されるものではなく、種々改変が可能である。
【００４９】  例えば、実施形態では本発明のシステム断熱構造Ｋを小屋組や戸建住宅Ｈに適用した場合について説明されているが、本発明の適用は小屋組や戸建住宅Ｈに限定されるものではなく、各種建築物に適用が可能で、その上、床下や土間などにも適用が可能である。
【００５０】  また、実施形態１，２では基材１０は耐火野地板とされているが、基材１０は耐火野地板に限定されるものではなく、各種とすることができる。
【００５１】  例えば、木毛板、ウレタンフォーム、スタイロフォーム、コンクリート型枠用合板、無垢板、構造用合板、金属板、金属パネル、スレート、折り曲げ鋼板、ケミカルボード、石膏ボード、各種サイディング、コンクリート、軽量気泡コンクリート、押出成形セメント板、プレキャストコンクリート板、タイル、プラスチック板、ガラス、段ボールなどの板紙類、ポリカーボネート板、繊維強化プラスチック板、石板、陶板とされてもよい。
【００５２】  また、基材は浴槽や貯水槽とすることもできる。
【産業上の利用可能性】
【００５３】  本発明は建築産業や住宅産業に適用できる。
【符号の説明】
【００５４】  Ｋ        システム断熱構造
Ｔ        垂木
Ｃ        コンテナ
Ｈ        戸建住宅
１        システム断熱体
２        システム断熱ボード
１０        基材
２０        高機能断熱シート
２１        発泡体シート
２２        アルミ箔シート
３０        透湿防水シート
【図１】
2017227101.tif 000003
【図２】
2017227101.tif 000004
【図３】
2017227101.tif 000005
【図４】
2017227101.tif 000006
【図５】
2017227101.tif 000007
【図６】
2017227101.tif 000008
【図７】
2017227101.tif 000009
【図８】
2017227101.tif 000010